【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる複数のプライマリコンポーネントキャリア（ＰＣＣ）周波数を示す情報を受信することと、
前記複数のＰＣＣ周波数のうちの１つのＰＣＣ周波数についてのプリファレンスを選択することと、
前記非自立型キャリア周波数上で前記利用可能なＭＢＭＳサービスを受信するための情報を取得するために、１つのＰＣＣ周波数についての前記プリファレンスをネットワークエンティティに送ることと、ここで、前記ＵＥは、前記ネットワークエンティティによって前記１つの好まれるＰＣＣ周波数にハンドオフされる、
前記取得された情報に基づいて前記非自立型キャリア周波数上で前記利用可能なＭＢＭＳサービスを受信することと、それによって、前記サービス連続性は、非自立型キャリア上の発展型ＭＢＭＳの受信により可能にされる、
を備える、方法。
【請求項２】
前記情報は、ユーザサービス記述（ＵＳＤ）またはシステム情報ブロック（ＳＩＢ）のうちの少なくとも１つにおいて受信される、請求項１に記載の方法。
【請求項３】
前記ＳＩＢは、ＳＩＢ １５である、請求項２に記載の方法。
【請求項４】
前記ＵＳＤを受信することをさらに備え、前記ＵＳＤは、前記非自立型キャリア周波数がアタッチされる前記複数のＰＣＣ周波数を示す、請求項２に記載の方法。
【請求項５】
前記ＳＩＢを受信することをさらに備え、
前記ＳＩＢは、前記非自立型キャリア周波数がアタッチされる前記複数のＰＣＣ周波数を示す、または、
前記ＳＩＢは、複数の周波数および非自立型キャリア周波数である前記複数の周波数の各々についての複数のＰＣＣ周波数を示す、
請求項２に記載の方法。
【請求項６】
前記ＵＳＤおよび前記ＳＩＢを受信することをさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記複数のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、請求項２に記載の方法。
【請求項７】
前記１つのＰＣＣ周波数についての前記プリファレンスを前記選択することは、前記複数のＰＣＣ周波数が１より大きい場合、ユニキャスト測定値に基づく、または、
前記１つのＰＣＣ周波数についての前記プリファレンスを前記選択することは、前記ＵＥが無線リソース制御（ＲＲＣ）アイドル状態にある場合、前記１つのＰＣＣ周波数の優先順位を決めることを備える、または、
前記１つのＰＣＣ周波数についての前記プリファレンスを前記選択することは、前記ＵＥがＲＲＣ接続状態にある場合、前記１つのＰＣＣ周波数または前記非自立型キャリア周波数を示すＭＢＭＳ関心インジケーションメッセージを送ることを備える、
請求項１に記載の方法。
【請求項８】
ネットワークエンティティのワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる複数のプライマリコンポーネントキャリア（ＰＣＣ）周波数を示す情報を受信することと、
前記情報をユーザ機器（ＵＥ）に送ることと、
前記ＵＥから１つのＰＣＣ周波数についてのプリファレンスを受信することと、
前記ＵＥが前記非自立型キャリア周波数上で前記利用可能なＭＢＭＳサービスを受信することができるように、前記ＵＥを前記好まれるＰＣＣ周波数にハンドオフすることと、それによって、前記サービス連続性は、非自立型キャリア上の発展型ＭＢＭＳの受信により可能にされる、
を備える、方法。
【請求項９】
前記ＵＥから前記非自立型キャリア周波数についてのプリファレンスを受信することと、
前記非自立型キャリア周波数にアタッチされるＰＣＣ周波数に前記ＵＥをハンドオフすることと、前記ＰＣＣ周波数は、前記複数のＰＣＣ周波数のうちの１つである、
をさらに備える、請求項８に記載の方法。
【請求項１０】
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、請求項１または８に記載の方法。
【請求項１１】
ワイヤレス通信のための装置であって、前記装置は、ユーザ機器（ＵＥ）であり、請求項１乃至７または請求項１０のうちのいずれか一項に記載の方法を実行するための手段を備える、装置。
【請求項１２】
ワイヤレス通信のための装置であって、前記装置は、ネットワークエンティティであり、請求項８乃至１０のうちのいずれか一項に記載の方法を実行するための手段を備える、装置。
【請求項１３】
ユーザ機器（ＵＥ）におけるコンピュータプログラム製品であって、
請求項１乃至７または請求項１０のうちのいずれか一項に記載の方法を実行するためのコードを備えるコンピュータ可読媒体、
を備える、コンピュータプログラム製品。
【請求項１４】
ネットワークエンティティにおけるコンピュータプログラム製品であって、
請求項８乃至１０のうちのいずれか一項に記載の方法を実行するためのコードを備えるコンピュータ可読媒体、
を備える、コンピュータプログラム製品。
【手続補正２】
【補正対象書類名】明細書
【補正対象項目名】００８７
【補正方法】変更
【補正の内容】
【００８７】
[00103]  本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用され得る。したがって、本開示は、本明細書で説明された例および設計に限定されるように意図されたものではなく、本明細書で開示された原理および新規な特徴と一致する最も広い範囲が付与されるべきである。
以下に本願発明の当初の特許請求の範囲に記載された発明を付記する。
［Ｃ１］
ユーザ機器（ＵＥ）のワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳサービスを受信することと、
を備える、方法。
［Ｃ２］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１に記載の方法。
［Ｃ３］
前記情報は、ユーザサービス記述（ＵＳＤ）またはシステム情報ブロック（ＳＩＢ）のうちの少なくとも１つにおいて受信される、Ｃ１に記載の方法。
［Ｃ４］
前記ＳＩＢは、ＳＩＢ １５（ＳＩＢ１５）である、Ｃ３に記載の方法。
［Ｃ５］
前記ユーザサービス記述（ＵＳＤ）を受信することをさらに備え、前記ＵＳＤは、前記非自立型キャリア周波数がアタッチされる前記１つ以上のＰＣＣ周波数を示す、Ｃ３に記載の方法。
［Ｃ６］
前記ＳＩＢを受信することをさらに備え、前記ＳＩＢは、前記非自立型キャリア周波数がアタッチされる前記１つ以上のＰＣＣ周波数を示す、Ｃ３に記載の方法。
［Ｃ７］
前記ＳＩＢを受信することをさらに備え、前記ＳＩＢは、複数の周波数および非自立型キャリア周波数である前記複数の周波数の各々についての１つ以上のＰＣＣ周波数を示す、Ｃ３に記載の方法。
［Ｃ８］
前記ＵＳＤおよび前記ＳＩＢを受信することをさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記１つ以上のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、Ｃ３に記載の方法。
［Ｃ９］
前記１つのＰＣＣ周波数についての前記プリファレンスを前記選択することは、前記１つ以上のＰＣＣ周波数が１より大きい場合、ユニキャスト測定値に基づく、Ｃ１に記載の方法。
［Ｃ１０］
前記１つのＰＣＣ周波数についての前記プリファレンスを前記選択することは、前記ＵＥが無線リソース制御（ＲＲＣ）アイドル状態にある場合、前記１つのＰＣＣ周波数の優先順位を決めることを備える、Ｃ１に記載の方法。
［Ｃ１１］
前記１つのＰＣＣ周波数についての前記プリファレンスを前記選択することは、前記ＵＥが無線リソース制御（ＲＲＣ）接続状態にある場合、前記１つのＰＣＣ周波数または前記非自立型キャリア周波数を示すＭＢＭＳ関心インジケーションメッセージを送ることを備える、Ｃ１に記載の方法。
［Ｃ１２］
前記ＭＢＭＳ関心インジケーションメッセージは、前記ＵＥがＲＲＣ接続状態にある場合、前記１つのＰＣＣ周波数を示す、Ｃ１１に記載の方法。
［Ｃ１３］
ネットワークエンティティのワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を備える、方法。
［Ｃ１４］
前記ＵＥから前記１つ以上のＰＣＣ周波数のうちの１つのＰＣＣ周波数についてのプリファレンスを受信することをさらに備える、Ｃ１３に記載の方法。
［Ｃ１５］
前記ＵＥによって好まれる前記１つのＰＣＣ周波数に前記ＵＥをハンドオフすることをさらに備える、Ｃ１４に記載の方法。
［Ｃ１６］
前記ＵＥから前記非自立型キャリア周波数についてのプリファレンスを受信することをさらに備える、Ｃ１３に記載の方法。
［Ｃ１７］
前記非自立型キャリア周波数にアタッチされるＰＣＣ周波数に前記ＵＥをハンドオフすることをさらに備え、前記ＰＣＣ周波数は、前記１つ以上のＰＣＣ周波数のうちの１つである、Ｃ１６に記載の方法。
［Ｃ１８］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１３に記載の方法。
［Ｃ１９］
ワイヤレス通信のための装置であって、前記装置は、ユーザ機器（ＵＥ）であり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信するための手段と、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択するための手段と、
前記取得された情報に基づいて前記非自立型キャリア周波数上で前記利用可能なＭＢＭＳサービスを受信するための手段と、
を備える、装置。
［Ｃ２０］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１９に記載の装置。
［Ｃ２１］
前記情報は、ユーザサービス記述（ＵＳＤ）またはシステム情報ブロック（ＳＩＢ）のうちの少なくとも１つにおいて受信される、Ｃ１９に記載の装置。
［Ｃ２２］
前記ＳＩＢは、ＳＩＢ １５（ＳＩＢ１５）である、Ｃ２１に記載の装置。
［Ｃ２３］
前記ユーザサービス記述（ＵＳＤ）を受信するための手段をさらに備え、前記ＵＳＤは、前記非自立型キャリア周波数がアタッチされる前記１つ以上のＰＣＣ周波数を示す、Ｃ２１に記載の装置。
［Ｃ２４］
前記ＳＩＢを受信するための手段をさらに備え、前記ＳＩＢは、前記非自立型キャリア周波数がアタッチされる前記１つ以上のＰＣＣ周波数を示す、Ｃ２１に記載の装置。
［Ｃ２５］
前記ＳＩＢを受信するための手段をさらに備え、前記ＳＩＢは、複数の周波数および非自立型キャリア周波数である前記複数の周波数の各々についての１つ以上のＰＣＣ周波数を示す、Ｃ２１に記載の装置。
［Ｃ２６］
前記ＵＳＤおよび前記ＳＩＢを受信するための手段をさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記１つ以上のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、Ｃ２１に記載の装置。
［Ｃ２７］
前記１つのＰＣＣ周波数についての前記プリファレンスを選択するための前記手段は、前記１つ以上のＰＣＣ周波数が１より大きい場合、ユニキャスト測定値に基づいて前記１つのＰＣＣ周波数についての前記プリファレンスを選択するように構成される、Ｃ１９に記載の装置。
［Ｃ２８］
前記１つのＰＣＣ周波数についての前記プリファレンスを選択するための前記手段は、前記ＵＥが無線リソース制御（ＲＲＣ）アイドル状態にある場合、前記１つのＰＣＣ周波数の優先順位を決めるように構成される、Ｃ１９に記載の装置。
［Ｃ２９］
前記１つのＰＣＣ周波数についての前記プリファレンスを選択するための前記手段は、前記ＵＥが無線リソース制御（ＲＲＣ）接続状態にある場合、前記１つのＰＣＣ周波数または前記非自立型キャリア周波数を示すＭＢＭＳ関心インジケーションメッセージを送るように構成される、Ｃ１９に記載の装置。
［Ｃ３０］
前記ＭＢＭＳ関心インジケーションメッセージは、前記ＵＥがＲＲＣ接続状態にある場合、前記１つのＰＣＣ周波数を示す、Ｃ２９に記載の装置。
［Ｃ３１］
ワイヤレス通信のための装置であって、前記装置は、ネットワークエンティティであり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信するための手段と、
前記情報をユーザ機器（ＵＥ）に送るための手段と、
を備える、装置。
［Ｃ３２］
前記ＵＥから前記１つ以上のＰＣＣ周波数のうちの１つのＰＣＣ周波数についてのプリファレンスを受信するための手段をさらに備える、Ｃ３１に記載の装置。
［Ｃ３３］
前記ＵＥによって好まれる前記１つのＰＣＣ周波数に前記ＵＥをハンドオフするための手段をさらに備える、Ｃ３２に記載の装置。
［Ｃ３４］
前記ＵＥから前記非自立型キャリア周波数についてのプリファレンスを受信するための手段をさらに備える、Ｃ３１に記載の装置。
［Ｃ３５］
前記非自立型キャリア周波数にアタッチされるＰＣＣ周波数に前記ＵＥをハンドオフするための手段をさらに備え、前記ＰＣＣ周波数は、前記１つ以上のＰＣＣ周波数のうちの１つである、Ｃ３４に記載の装置。
［Ｃ３６］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ３１に記載の装置。
［Ｃ３７］
ワイヤレス通信のための装置であって、前記装置は、ユーザ機器（ＵＥ）であり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳを受信することと、
を行うように構成された少なくとも１つのプロセッサ、
を備える、装置。
［Ｃ３８］
ワイヤレス通信のための装置であって、前記装置は、ネットワークエンティティであり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を行うように構成された少なくとも１つのプロセッサ、
を備える、装置。
［Ｃ３９］
ユーザ機器（ＵＥ）におけるコンピュータプログラム製品であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳサービスを受信することと、
を行うためのコードを備えるコンピュータ可読媒体、
を備える、コンピュータプログラム製品。
［Ｃ４０］
ネットワークエンティティにおけるコンピュータプログラム製品であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を行うためのコードを備えるコンピュータ可読媒体、
を備える、コンピュータプログラム製品。